【事件の表示】
　特許第２９７７３５７号「パンツ型おむつ」の請求項１ないし５に係る特許に対する特許異議の申立てについて、次のとおり決定する。
【結　論】
　訂正（平成１３年３月９日付）を認める。
　特許第２９７７３５７号の請求項１ないし３に係る特許を維持する。
【理　由】
（１）手続の経緯
　特許出願　　　　　　　　　　　平成４年１月２０日
　特許権設定登録　　　　　　　　平成１１年９月１０日
　特許異議申立て　　　　　　　　平成１２年５月１５日
　取消理由通知　　　　　　　　　平成１２年８月１日
　第１回意見書・訂正請求　　　　平成１２年１０月１７日
　取消理由通知　　　　　　　　　平成１３年１月４日
　訂正請求取下（第１回訂正）　　平成１３年３月９日
　第２回意見書・訂正請求　　　　平成１３年３月９日
　
（２）訂正の適否
　（２−１）訂正の内容
［１］請求項１における「２０ｇ・ｃｍ」を「２０ｇｆ・ｃｍ」と訂正
［２］請求項３における「上記ウエスト開口部とレッグ開口部との間に着用者の胴回りをフィットさせるギャザー」を「上記ウエスト開口部に形成されたウエストギャザーと上記レッグ開口部に形成されたレッグギャザーとの間に、着用者の胴回りをフィットさせる胴回りギャザー」と訂正
［３］請求項４および５を削除
［４］明細書の段落【０００７】【００１６】（２カ所）【００１７】【００２０】【００２２】【００２３】の「ｇ・ｃｍ」を「ｇｆ・ｃｍ」に訂正
［５］明細書の段落【００１６】の「ｇ／ｃｍ」を「ｇｆ・ｃｍ」に訂正
［６］明細書の段落【０００９】の「第３図」を「図３」と訂正
［７］明細書の段落【００１６】の「吸収体４の厚みは５．０ｍｍが好ましく、」を「吸収体４の厚みは５．０ｍｍ以下であり、」と訂正
［８］明細書の段落【００２０】の「上記レッグ開口部ギャザー１１と吸収体４の長手方向側縁４ａとの間（または長手方向の側縁上でもよい。）に、」を「上記レッグ開口部ギャザー１１と吸収体４の長手方向側縁部４ａとの間（または吸収体の長手方向の側縁部上でもよい。）に、」に訂正
　
　（２−２）訂正の目的の適否、新規事項の有無、及び特許請求の範囲の拡張・変更の存否
　上記訂正［１］は、力の単位をｇ（グラム）からｇｆ（グラムフォース）に訂正したものであるから、明りょうでない記載の釈明であり、新規事項の追加に該当せず、しかも特許請求の範囲を実質的に拡張・変更するものでない。
　上記訂正［２］は、胴回りのギャザーの位置を、「ウエスト開口部とレッグ開口部の間」から更に狭い範囲であるウエストギャザーとレッグギャザーの間に限定したものであるから、特許請求の範囲を減縮したものであり、新規事項の追加に該当せず、しかも特許請求の範囲を実質的に拡張・変更するものでない。
　上記訂正［３］は、特許請求の範囲の減縮を目的としており、新規事項の追加に該当せず、しかも特許請求の範囲を実質的に拡張・変更するものでない。
　上記訂正［４］は、力の単位をｇ（グラム）からｇｆ（グラムフォース）に訂正したものであるから、明りょうでない記載の釈明であり、新規事項の追加に該当せず、しかも特許請求の範囲を実質的に拡張・変更するものでない。
　上記訂正［５］は、誤記の訂正を目的としている。当該訂正は、明細書の他の部分においては、ｇｆ・ｃｍとなっている曲げ弾性の単位をｇ／ｃｍと誤記したものを訂正するものであるから、新規事項の追加に該当せず、しかも特許請求の範囲を実質的に拡張・変更するものでない。
　上記訂正［６］は、明りょうでない記載の釈明を目的としており、新規事項の追加に該当せず、しかも特許請求の範囲を実質的に拡張・変更するものでない。
　上記訂正［７］は、発明の詳細な説明を請求項の記載に合致させたものであり、明りょうでない記載の釈明を目的としている。そして、新規事項の追加に該当せず、しかも特許請求の範囲を実質的に拡張・変更するものでない。
　上記訂正［８］は、明りょうでない記載の釈明を目的としており、新規事項の追加に該当せず、しかも特許請求の範囲を実質的に拡張・変更するものでない。
　
　（２−３）むすび
　よって、上記訂正は、特許法等の一部を改正する法律（平成６年法律第１１６号）附則第６条第１項の規定によりなお従前の例によるとされる、特許法第１２０条の４第３項で準用する平成６年法律第１１６号による改正前の特許法第１２６条第１項ただし書き第２項及び第３項の規定に適合するので、この訂正を認める。
　
（３）特許異議の申立ての概要
　申立人ユニ・チャーム株式会社は、本件明細書段落【００１７】において引用されているＪＩＳ　Ｐ８１２５を甲第１号証として提示して、本件請求項１において「曲げ弾性」として規定される物性が不明瞭である旨主張し（以下、申立理由１という。）、また、本件特許出願前頒布された刊行物である甲第２号証乃至甲第５号証を提示し、本件請求項１，２，５に係る発明は甲第２号証及び甲第３号証に記載された発明に基づいて当業者が容易に発明できたものであると主張（以下、申立理由２という。）し、請求項３に係る発明は、甲第２〜４号証に記載された発明に基づいて当業者が容易に発明できたものであると主張（以下、申立理由３という。）し、請求項４に係る発明は甲第２〜５号証に記載された発明に基づいて当業者が容易に発明できたものである旨主張（以下、申立理由４という。）している。以下、当審から通知した平成１２年８月１日付取消理由通知書と同様、甲第２号証（特開昭６１−２０７６０５号公報）を刊行物１，甲第３号証（特開昭５９−２０４９５６号公報及び同公報に係る補正の掲載のための公報）を刊行物２，甲第４号証（特開平３−１３９３４９号公報）を刊行物３，甲第５号証（特開平３−２８０９５１号公報）を刊行物４と表示する。また、取消理由においては、刊行物５（特開平３−２０５０５３号公報）を追加して引用している。
　
（４）特許異議申立てについての判断
　（４−１）本件発明
　上記訂正が認められた結果、本件請求項１乃至３に係る発明は次のとおりのものである。
「【請求項１】液透過性のトップシートと液不透過性のバックシートと、これら両シートの間に配置される吸収体とからなり、着用者の腹側に位置する腹側部と背側に位置する背側部とのそれぞれの両側縁部を接合固定して、ウエスト開口部と一対のレッグ開口部とを形成し、ウエスト開口部とレッグ開口部に実質上連続したギャザーが形成されたパンツ型おむつにおいて、
　上記吸収体は、
　（１）その曲げ弾性が２０ｇｆ・cm以下、　
　（２）その厚みが５．０mm以下
　及び（３）その液吸収容量が３００ｇ／枚以上であることを特徴とするパンツ型おむつ。
　【請求項２】上記吸収体が親水性繊維からなる拡散層と、親水性繊維と高吸収性ポリマーの混合層と、からなり、　上記混合層の親水性繊維と高吸収性ポリマーの重量比が５０：５０乃至３０：７０であることを特徴とする請求項１記載のパンツ型おむつ。
　【請求項３】　上記ウエスト開口部に形成されたウエストギャザーと上記レッグ開口部に形成されたレッグギャザーとの間に、着用者の胴回りをフィットさせる胴回りギャザーを有することを特徴とする請求項１又は２記載のパンツ型おむつ。」
　
　（４−２）申立理由１について
　甲第１号証は「荷重曲げ方法による板紙のこわさ試験方法（Testing Method for Stiffness of Paperboard by Bending Load) 」と題する規格であり、定義として、「この規格にいうこわさとは・・・試験片を曲げるに要する曲げモーメントｇｆ・ｃｍ｛ｍＮ・ｍ｝の単位で測り，その材料のこわさと定める。」（第１頁第６〜８行）と記載されている。一方、上記訂正後の本件明細書の記載では、「上記曲げ弾性の測定は、荷重曲げ方法による板紙のこわさ試験方法（ＪＩＳ　Ｐ８１２５）に準拠して行い」（段落【００１７】）とされており、しかも曲げ弾性の単位はｇｆ・ｃｍであるから、甲第１号証にいう「こわさ」即ち測定された曲げモーメントを「曲げ弾性」と表現していることは明らかであって、本件明細書の記載に不備はない。
　
　（４−３）申立理由２について
　（４−３−１）刊行物記載事項
　刊行物１には、次の記載がある。
［記載１−１］「液体浸透性の内部の身体側ライナと、前板及び後板を画成する液体不浸透性の外部カバーと、これらライナとカバーとの間に配置された吸収性の芯材とを具備する形式の使い捨てパンツにおいて、
　一対の脚部開口と腰部開口とを有する立体的なパンツを形成するように上記の前板及び後板の側縁部分の一部を互いに接合する側部シームと、
　一方の脚部開口のまわりに延びる第１の伸縮手段、他方の脚部開口のまわりに延びる第１の伸縮手段、他方の脚部開口のまわりに延びる第２の伸縮手段及び腰部開口のまわりに延びる第３の伸縮手段とを具備し、更に、
　上記外部カバーは、液体不浸透性のプラスチック材料の内層と、不織ファイバ材料の外層とで構成され、上記内層は吸収性の芯材に面し、上記外層はパンツの外面を構成することを特徴とする使い捨てパンツ。」（特許請求の範囲第１項）
［記載１−２］「吸収性の芯材１８は、ライナ１６を通過した排出物を吸収して保持することのできる適当な材料で構成される。・・・・吸収性の芯材として選択された材料は、０．５ｐｓｉの圧力に保たれた人造尿を約３０ないし５５０グラム吸収できるという吸収力を有しているのが最も有用である。・・・・更に、パンツ１０は、おむつのような見掛けをしていないのが望ましく、それ故、吸収性の芯材は、かさが小さく然も吸収力の高い材料であるのが最も有用である。更に、芯材は、水を通さないヒドロコロイドポリマの粒子を３次元的に分散させて含むのが好ましい。外側の織物カバーに最も接近した領域を除きファイバ状芯材の空所内に超吸収材を３次元的に均一に分散して、芯材に接触する液体が芯材内を着用者の皮膚から最も離れた超吸収材粒子へと自由に浸透できるようにするのが好ましい。市場で入手できる超吸収材には次のような幾つかの種類がある。
　ａ．グラフトデンプン、
　ｂ．デンプンポリアクリル酸グラフトコポリマ、
　ｃ．グラフトセルロース−（ＣＭＣ）カルボキシ−メチルセルロース、
　ｄ．変性ＰＶＡ（ポリビニルアルコール）
そして好ましくは、
　ｅ．日本のセイテツ（Seitetsu）によって製造されているウオーターロッチ(Water-Loch)Ｊ５００（アクアキープ(Acquakeep)ＯＳＨ）のような吸収材ポリマを形成するように交差リンクされたポリアクリル酸塩。」（第５頁右下欄第４行〜第６頁右上欄第１６行）
［記載１−３］「ここに開示した新規なパンツは、公知の類似の下着に勝ると共に、特に、おむつの段階から離れようとしている子供のトレーニングパンツとして使用するようにその用途を拡張できる構造を備えていると考えられる。」（第１３頁左上欄第１６〜２０行）
　刊行物２には次の記載がある。
［記載２−１］「本発明の吸収性構造物は、優れた吸収能力および優秀な灯心作用性を与え、そしてなお可撓性、弾性であり、そして良好な横方向一体性を有する。これらの構造物は、極めて薄く、かつ心地良いが現在市販されている更に嵩高な製品に少なくとも等しい吸収能力を有する使い捨ておむつに使用するのに独特に適している。」（公開公報第４頁右下欄第６〜１３行）
［記載２−２］「通常の親水性繊維状ウェブに比較して、本発明の吸収性構造物は、高い吸収能力、高密度および通常の繊維状ウェブの可撓性に少なくとも等しい可撓性を有する。これらの理由で、これらの吸収性構造物は、おむつ、失禁パッドおよび衛生ナプキンのような製品で使用するのに好適である。高い吸収能力及び高密度は、薄くかつなお破損の妨害を避けるのに十分な吸収能力よりも高い吸収能力を有する吸収性製品を設計することを可能にさせる。構造物の可撓性は、着用者に心地良いことおよび吸収性製品の良好なフィットを保証する。」（公開公報第８頁右下欄第７〜１８行）
［記載２−３］「使い捨ておむつで使用される吸収性構造物は、好ましくは厚さ約０．３ｍｍ〜約２ｍｍ、更に好ましくは約０．５ｍｍ〜約１ｍｍを有する。」（公開公報第９頁左下欄第２〜４行）
［記載２−４］「吸収性構造物の剛性は、ガーレイ剛性試験機（ニューヨーク州トロイのＷ・エンド・Ｌ・Ｅ・ガーレイ製）を使用して測定された。・・・・この装置は、一端で固定されかつ他端にかけられた負荷を有する特定の寸法の材料のストリップの所定たわみを生ずるのに要する外部からかけられた力を測定する。結果は、「ガーレイ剛性」値（単位ｇ）として得られた。吸収性物品の各ストリップは、３．５インチ×１インチ（約８．９ｃｍ×２．５ｃｍ）であった。
　本発明の吸収性構造物は、坪量０．０３ｇ／ｃｍ２を有するストリップで測定した場合にガーレイ剛性値２ｇ未満、好ましくは約１ｇ未満を有する。」（公開公報第１１頁第４〜１７行）
［記載２−５］「例６　吸収性構造物が、例１に記載のような本発明の方法に従って製造された。繊維／ヒドロゲルの重量比は、８０：２０であった。これらの構造物のガーレイ剛性値が測定された。比較のため、米国特許第４，３５４，９０１号明細書に記載の湿式抄造法（例２参照）に従って製造された構造物のガーレイ剛性値は、高密化前および高密化後に測定された（表VIII）
データは、米国特許第４，３５４，９０１号明細書に開示のように、最初非常に高い湿式抄造構造物のガーレイ剛性値が構造物をより高い密度に圧縮することによって減少され得ることを確認する。データは、更に、本発明の空気抄造構造物のガーレイ剛性値が圧縮された湿式抄造構造物のガーレイ剛性値よりも１桁低く、そして非圧縮の湿式抄造構造物のガーレイ剛性値よりも２桁まで低いことを示す。」（公開公報第１４頁右下欄第１２行〜第１５頁左上欄第２０行）表VIIIには、８個の実例が示されており、空気抄造で製造された密度：０．３ｇ／ｃｍ３、坪量：０．０３２ｇ／ｃｍ２、ガーレイ剛性：０．２４ｇである例が他の７例と共に記載されている。
［記載２−６］「繊維／ヒドロゲルの重量比約３０：７０から約９８：２の親水性繊維と水不溶性架橋重合体ヒドロゲルのばらばらの粒子との空気抄造され実質的に乾燥した混合物からなり、密度約０．１５〜約１ｇ／ｃｍ３および乾燥吸収性構造物の約１０重量％未満の含水量と２ｇ未満のガーレイ剛性値とを有することを特徴とする可撓性の実質上非結合の吸収性構造物」（補正掲載公報第１頁特許請求の範囲第１項）
　
　（４−３−２）対比・判断
　本件請求項１に係る発明と刊行物１に記載された発明とを対比すると、刊行物１に記載された発明は本件請求項１に係る発明を特定する事項である吸収体の「曲げ弾性が２０ｇｆ・ｃｍ以下」及び「厚みが５．０ｍｍ以下」という事項を備えていない、そして刊行物２には「厚みが５．０ｍｍ以下」という事項は記載されている（記載２−３）ものの、「曲げ弾性が２０ｇｆ・ｃｍ以下」という事項は記載されているとは認められない。また、刊行物３〜５にもこの事項は記載されていない。そして、本件請求項１に係る発明は、当該事項により装着状態において吸収体が排泄部位にフィットする防漏性及び追従性に優れているという顕著な効果を奏するものであり、本件請求項１に係る発明が刊行物１−５に記載の発明から当業者が容易に発明をすることができたものとはいえない。
　なお、申立人は申立書第１１頁において、刊行物２に記載された発明においても同様の曲げ弾性を有する旨主張しているが、上記申立書第１１頁の測定結果をもって、上記記載２−６における条件を備えた吸収性構造物の曲げ弾性が必然的に２０ｇｆ・ｃｍ以下になるものと認めることができない。であるとすると、曲げ弾性が２０ｇｆ・ｃｍ以下のものに限定することが刊行物２に記載された発明から容易になし得たものと認めることはできない。また、刊行物２に記載された具体例においても、曲げ弾性が２０ｇｆ・ｃｍ以下の範囲となるものが存在するとも認められない。
　本件請求項２に係る発明は、本件請求項１に係る発明をさらに限定するものであるから、上記請求項１に対する判断と同様に上記刊行物１〜５に記載された発明から当業者が容易に発明をすることができたものと認められない。
　
　　（４−４）申立理由３について
　刊行物３には、「弾性部材６」を「股下前後部において弾性的に圧接させ」る構成が記載されている。
　しかしながら、請求項３は請求項１をさらに限定するものであるから、請求項１についての判断で示したとおり、刊行物１〜５に記載された発明から当業者が容易に発明できたものではない。
　
　（４−５）申立理由４について
　申立理由４は訂正前の請求項４に係る特許を取り消すべきとするものであるところ、該請求項４は訂正により削除されたので当該理由もなくなった。
　
　（５）むすび
　以上のとおりであるから、特許異議申立ての理由及び証拠によっては本件請求項１乃至３に係る発明の特許を取消すことはできない。
　また、他に本件請求項１乃至３に係る発明の特許を取消すべき理由を発見しない。
　よって、結論のとおり決定する。
【異議決定日】
平成１３年３月２９日（２００１．３．２９）
【訂正の要旨】
［１］明りょうでない記載の釈明を目的として、請求項１における「２０ｇ・ｃｍ」を「２０ｇｆ・ｃｍ」と訂正
［２］特許請求の範囲の減縮を目的として、請求項３における「上記ウエスト開口部とレッグ開口部との間に着用者の胴回りをフィットさせるギャザー」を「上記ウエスト開口部に形成されたウエストギャザーと上記レッグ開口部に形成されたレッグギャザーとの間に、着用者の胴回りをフィットさせる胴回りギャザー」と訂正
［３］特許請求の範囲の減縮を目的として、請求項４および５を削除
［４］明りょうでない記載の釈明を目的として、明細書の段落【０００７】【００１６】（２カ所）【００１７】【００２０】【００２２】【００２３】の「ｇ・ｃｍ」を「ｇｆ・ｃｍ」に訂正
［５］誤記の訂正を目的として、明細書の段落【００１６】の「ｇ／ｃｍ」を「ｇｆ・ｃｍ」に訂正
［６］明りょうでない記載の釈明を目的として、明細書の段落【０００９】の「第３図」を「図３」と訂正
［７］明りょうでない記載の釈明を目的として、明細書の段落【００１６】の「吸収体４の厚みは５．０ｍｍが好ましく、」を「吸収体４の厚みは５．０ｍｍ以下であり、」と訂正
［８］明りょうでない記載の釈明を目的として、明細書の段落【００２０】の「上記レッグ開口部ギャザー１１と吸収体４の長手方向側縁４ａとの間（または長手方向の側縁上でもよい。）に、」を「上記レッグ開口部ギャザー１１と吸収体４の長手方向側縁部４ａとの間（または吸収体の長手方向の側縁部上でもよい。）に、」に訂正
（５４）【発明の名称】
パンツ型おむつ
（５７）【特許請求の範囲】
　【請求項１】　液透過性のトップシートと液不透過性のバックシートと、これら両シートの間に配置される吸収体とからなり、着用者の腹側に位置する腹側部と背側に位置する背側部とのそれぞれの両側縁部を接合固定して、ウエスト開口部と一対のレッグ開口部とを形成し、ウエスト開口部とレッグ開口部に実質上連続したギャザーが形成されたパンツ型おむつにおいて、
　上記吸収体は、
　（１）その曲げ弾性が２０ｇ
ｆ
　（２）その厚みが５．０ｍｍ以下　及び
　（３）その液吸収容量が３００ｇ／枚以上であることを特徴とするパンツ型おむつ。
　【請求項２】　上記吸収体が親水性繊維からなる拡散層と、親水性繊維と高吸収性ポリマーの混合層と、からなり、上記混合層の親水性繊維と高吸収性ポリマーの重量比が５０：５０乃至３０：７０であることを特徴とする請求項１記載のパンツ型おむつ。
　【請求項３】　上記ウエスト開口部
に形成されたウェストギャザーと上記
に形成されたレッグギャザー
、
胴回り
【発明の詳細な説明】
　【０００１】
　【産業上の利用分野】
　本発明は幼児用、大人用或いは失禁者用のパンツ型おむつに関するものであり、特にフィット性に優れたパンツ型おむつに関する。
　【０００２】
　【従来の技術】
　一般に、パンツ型おむつは、特開昭６１−２０７６０５号公報に開示されているように、液透過性のトップシートと、液不透過性のバックシートと、これら両シート間に介在された吸収体とからなる縦長の本体を備え、該本体は、着用時に着用者の腹側に位置する腹側部と背側に位置する背側部とに分けられている。そして、本体の長手方向に沿う両側に形成された左右一対のサイドフラップにおいて腹側部と背側部とを互いに接合固定して左右一対のレッグ開口部及び一つのウエスト開口部が形成されている。
　【０００３】
　この種のパンツ型おむつは、一対のレッグ開口部及び一つのウエスト開口部を夫々伸縮自在に形成して体型にフィットするように構成されており、通常、着用者自らが立位の状態で着用することができるので、幼児の「おむつ離れ」を促進するためのトイレットトレーニング用として、または失禁者用もしくは歩行可能な成人用として用いられている。
　【０００４】
　パンツ型おむつは、いわゆるフラット型のおむつに比較して、通常の下着と同様に着用者が自分で上げ下げかつ介護者が着用させ易いという点に特徴を有するもので、着用者自身が排泄物を漏らさないように、しかも容易に装着できるようにするためには、パンツ型おむつは優れたフィット性を有していることが要求される。さらに、着用者の活発な活動に対しても十分な追従性を有することが要求される。
　【０００５】
　【発明が解決しようとする課題】
　しかしながら、従来のパンツ型おむつにおいては、パンツ型おむつの吸収体部位の曲げ剛性がかなり高く、且つ厚いため、吸収体は装着状態において身体とのフィット性が悪くなり、排泄物の漏れを生じる原因となった。また、トイレットトレーニング用として通常の下着と同様に薄く形成されたものも市販されているが、その液吸収容量は極めて低いためおむつとして実用的ではなかった。
　【０００６】
　従って、本発明の目的は、充分な液吸収容量を有し、装着状態において吸収体が排泄部位にフィットする、防漏性及び追従性に優れたパンツ型おむつを提供することにある。
　【０００７】
　【課題を解決するための手段】
　本発明は、液透過性のトップシートと液不透過性のバックシートと、これら両シートの間に配置される吸収体とからなり、着用者の腹側に位置する腹側部と背側に位置する背側部とのそれぞれの両側縁部を接合固定して、ウエスト開口部と一対のレッグ開口部とを形成し、ウエスト開口部とレッグ開口部に実質上連続したギャザーが形成されたパンツ型おむつにおいて、上記吸収体は、　
　（１）その曲げ弾性が２０ｇ
ｆ
　（２）その厚みが５．０ｍｍ以下　及び
　（３）その液吸収容量が３００ｇ／枚以上であることを特徴とするパンツ型おむつを提供することにより達成したものである。
　【０００８】
　【作用】
　本発明のパンツ型おむつによれば、吸収体の曲げ弾性が低く抑えられ、厚みが薄いので、図３に示すように、吸収体が位置する腹側部の面が座位時に身体の腹部から離れて、ウエストギャザーに被さってくるということが起こらない。また、レッグ開口部のギャザーを被って股に接触することもない。即ち、座位時においても、吸収体は腹側部及び背側部に追従しており、排泄部位を充分に覆うことができる。このため、吸収体の吸収面における防漏性は、上記吸収体の液の液吸収容量の高さと相まって充分に確保される。
　【０００９】
　【実施例】
　以下、本発明に係るパンツ型おむつの実施例を図面を参照して説明する。図１乃至図３は本発明に係るパンツ型おむつの一実施例を示しており、図１は実施例に係るパンツ型おむつの腹側部と背側部とのそれぞれの両側縁部の接合固定部を切離した展開図、図２は図１に示す実施例における斜視図、
図３
　【００１０】
　本実施例において、図１に示す如く、パンツ型おむつ１は、液透過性のトップシート２と、液不透過性のバックシート３と、これら両シート間に配置される吸収体４とを備え、装着時に着用者の腹側に位置する腹側部６と、背側に位置する背側部７と、該腹側部６と背側部７とのそれぞれの両側縁部６ａ、７ａ及び６ｂ、７ｂを接合固定して、図２に示す如く、ウエスト開口部８と一対のレッグ開口部９、９とが形成されている。そして、ウエスト開口部８と各レッグ開口部９、９とには、それぞれ、吸収体４から一定の距離をあけて設けられた伸縮部材からなるウエストギャザー１０、１０、レッグギャザー１１、１１が形成されている。
　【００１１】
　更に詳述すると、腹側部６及び背側部７は、砂時計型形状の吸収体４を中心として、吸収体４の両側縁から延在したトップシート２及びバックシート３を重ねたサイドフラップ１２ａ、１２ｂ、及び吸収体４の各端縁から延在したウエストフラップ１３ａ、１３ｂから成っている。サイドフラップ１２ａ、１２ｂはそれぞれレッグ開口９を除いて、ほぼ一定幅まで延在し、図１における両サイドフラップ１２ａ、１２ｂの上部は腹側部６の一部を形成し、その各フラップの延在端部はそれぞれ接合固定部６ａ、６ｂとなっている。また、サイドフラップ１２ａ、１２ｂの下部は背側部７の一部を形成し、その各フラップの延在端部は接合固定部７ａ、７ｂとなっている。
　【００１２】
　ウエストギャザー１０、１０は各ウエストフラップ１３内に吸収体４の端縁に平行して接合固定部６ａ、６ｂ及び７ａ、７ｂまでそれぞれ張設されると共に、両者はその端部同士が接合されている。レッグギャザー１１、１１は、各サイドフラップ１２ａ、１２ｂのレッグ開口部９となる周縁部に沿って接合固定部６ａ、７ａ及び６ｂ、７ｂまでそれぞれ張設されている。また、本実施例では、後述するように胴回りギャザー１４、１４、１４が吸収体４を横断して張設され、胴回りギャザー１４、１４、１４はウエストギャザー１０とレッグギャザー１１の間で、且つそれぞれの接合固定部６ａ、６ｂ及び７ａ、７ｂまで張設されている。したがって、図２に示すように、接合固定部６ａと７ａ及び６ｂと７ｂがそれぞれ相互に接合された状態では、これらのギャザー１０、１１、及び１４は、適宜にウエスト開口部８、レッグ開口部９及び胴回りを伸縮させる。
　【００１３】
　上記トップシート２は、排泄物を吸収体４へ透過させる液透過性シートで肌着に近い感触を有したものが好ましく、このような液透過性シートとしては、例えば、織布、不織布、多孔性フィルム等が好ましい。また、トップシート２の周縁部にシリコン系油剤、パラフィンワックス等の疎水性化合物を塗布する方法や、予めアルキルリン酸エステルのような親水性化合物を塗布し、周縁を温水で洗浄する方法により撥水処理を施し、周縁部における尿等の惨みによる漏れを防止することができる。
　【００１４】
　バックシート３は、熱可塑性樹脂にフィラーを加えて延伸した液不透過性且つ蒸気を透過させる蒸気透過性のシートが用いられ、肌着に近い感触を有したもの、例えば、フィルムと不織布との複合材、あるいはフィルムと織布との複合材料等が用いられる。
　吸収体４の材料としては、解繊パルプ等の親水性繊維と、水の高吸収性ポリマーを併用したものが好ましく、その他、熱可塑性樹脂、セルロース繊維、あるいは高吸収性ポリマーの混合物に熱処理したものが好ましい。高吸収性ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
　【００１５】
　また、吸収体の層構造としては、高吸収性ポリマーの存在位置は上層、中層、下層のいずれであってもよいが、パルプと混合した混合層として存在させることが好ましい。特に、吸収体４に親水性繊維からなる拡散層と、親水性繊維と高吸収性ポリマーの混合層とが存在していることが好ましく、混合層の親水性繊維と高吸収性ポリマーの重量比が５０：５０乃至３０：７０の範囲であることが好ましい。このような拡散層と混合層とは、厚みを薄くして曲げ弾性を小さくしても、液吸収容量を充分に保つこができる。
　【００１６】
　尚、本実施例において図１及び図２に示す吸収体４は、１００ｇ／ｍ２のパルプ層と、１５０ｇ／ｍ２のパルプと２００ｇ／ｍ２の高吸収性ポリマーとの混合層からなり、パルプ層と高吸収性ポリマーとの重量比が４３：５７と成っている。
　吸収体４は、（１）それ自体の曲げ弾性が２０ｇ
ｆ
ｆ
であり
ｆ・
　【００１７】
　本実施例の図１及び図２の吸収体４においては、曲げ弾性が１５ｇ
ｆ
　【００１８】
　上記薄型の吸収体４を有したパンツ型おむつは、身体とのフィット性を更に高めるためにウエスト開口部８とレッグ開口部９との間における着用者の胴回りに弾性伸縮部材を設けることが好ましい。本実施例に係るパンツ型おむつ１では、上述したように胴回りギャザー１４、１４、１４が張設されている。
　以上のように構成した本実施例において、図３は座位装着時におけるパンツ型おむつ１の状態を示すものであるが、図３に示す如く、パンツ型おむつ１の腹側部６の胴回り部分２０及び股下部分２２が身体に接するようなことはない。また、座位時に吸収体４がトップシート２を介して身体腹部及び背部に追従しているこがみられる。更に、胴回りギャザー１４を設けた効果が充分にみられる。
　【００１９】
　したがって、おむつ１内において、吸収体４は排泄部位を充分に覆い、吸収体４の吸収面における防漏性を確保することができる。また、体液を充分に吸収することもできる。
　次に、本発明の別の実施例を図４及び図５にしたがって説明する。図４は、別の実施例に係るパンツ型おむつの腹側部と背側部とのそれぞれの両側縁部の接合固定部を離切した展開図、図５は立体ギャザーを設けた要部断面図である。
　【００２０】
　本実施例に係るパンツ型おむつは、図１に示す実施例とほぼ同様に構成されており、図１に示す実施例における部材と同様な部材については図４において同一符号を付してその詳しい説明を省略するが、図１の実施例と相違するところは、上記レッグ開口部ギャザー１１と吸収体４の長手方向側縁
部
の
ｆ
　【００２１】
　このような実施例による場合も、先の実施例による場合と同様な効果が奏され、更に、立体ギャザー１５が防漏性を充分に発揮する。
　また、本実施例と比較をするために以下の比較例１、２を行った。
　（比較例１）
　吸収体を５００ｇ／ｍ２のパルプと１５０ｇ／ｍ２の高吸収性ポリマーとの混合層とし、加圧エンボス法により、その曲げ弾性が３０ｇ
ｆ
　【００２２】
　この結果、胴回りのギャザーは取り付けが困難であり、また、図６に座位時のパンツ型おむつの装着状態を示したが、パンツ型おむつの腹側部の胴回り部分３０及び股下部分３２が身体に接すことが判った。
　（比較例２）
　吸収体を５００ｇ／ｍ２のパルプと１５０ｇ／ｍ２の高吸収性ポリマーとをサンドイッチ層とし、その曲げ弾性が８ｇ
ｆ
　【００２３】
　この結果、比較例のパンツ型おむつは実施例より、厚みが大きいため着用者に違和感を与え、活動し難くい。
　以上の如く、本発明は、上述の実施例に限定されることなく、本発明の要旨を逸脱しない範囲、即ち、上記吸収体の、（１）その曲げ弾性が２０ｇ
ｆ
　【００２４】
　【発明の効果】
　本発明に係るパンツ型おむつは、充分な液吸収容量を有し、装着状態において吸収体が排泄部位にフィットする防漏性及び追従性に優れている。
【図面の簡単な説明】
　【図１】
　本実施例に係るパンツ型おむつの腹側部と背側部とのそれぞれの両側縁部の接合固定部を離切した展開図である。
　【図２】
　図１のパンツ型おむつの斜視図である。
　【図３】
　３図は図１のパンツ型おむつの座位装着時の斜視図である。
　【図４】
　本実施例に係るパンツ型おむつの別の実施例における腹側部と背側部とのそれぞれの両側縁部の接合固定部を離切した展開図である。
　【図５】
　図４のパンツ型おむつの要部断面図である。
　【図６】
　従来のパンツ型おむつの座位装着時の斜視図である。
　【符号の説明】
１　　　パンツ型おむつ
２　　　トップシート
３　　　バックシート
４　　　吸収体
６　　　腹側部
７　　　背側部
９　　　レッグ開口部
１０　　ウエストギャザー
１１　　レッグギャザー
１４　　胴回りギャザー
１５　　立体ギャザー